(57)【要約】【課題】マイナスイオン効果を得ることが出来る電動工具を提供する。【解決手段】電動工具１０のフレーム１２内部にモータ３２と冷却ファン３８が配され、この冷却ファン３８の送風路にイオン電極４０が設けられ、このイオン電極４０に対しラダー回路２０を用いて高電圧を供給し、マイナスイオンを発生させるものである。【選択図】      図１
2005169510.tif 000002
【特許請求の範囲】
【請求項１】
工具を駆動するモータがフレーム内部に収納された電動工具において、
前記モータによって回転する冷却ファンを前記フレーム内部に有し、
前記冷却ファンから送風された空気を送出する送風口が前記フレームに開口し、
前記空気の送風路で、かつ、前記フレーム内部にイオン電極を配し、
前記イオン電極からマイナスイオンを発生させるための高電圧を供給する高電圧発生装置を有した
ことを特徴とする電動工具。
【請求項２】
前記高電圧発生装置は、複数段のラダー倍電圧整流回路である
ことを特徴とする請求項１記載の電動工具。
【請求項３】
前記ラダー倍電圧整流回路は、コッククロフト・ウォルトンのラダー倍電圧整流回路である
ことを特徴とする請求項２記載の電動工具。
【請求項４】
前記イオン電極は、ガラス管内に配置されている
ことを特徴とする請求項１記載の電動工具。
【発明の詳細な説明】
【技術分野】
【０００１】
本発明は、グラインダー、ドリルドライバ等の電動工具に関するものである。
【背景技術】
【０００２】
最近、マイナスイオンが注目され、このマイナスイオン発生機を内蔵したヘアードライヤーや空調機等が提案されている（例えば、特許文献１参照）。
【特許文献１】特開２０００−１８９２３１公報
【発明の開示】
【発明が解決しようとする課題】
【０００３】
ところで、電動工具が使用される環境は、人間にとって厳しいものであり健康面を考えたものは存在していない。この電動工具の使用時間が長い職業人（鳶職、大工等）は、健康面を重視して心身のリフレッシュを行う必要がある。
【０００４】
そこで、本発明は上記のマイナスイオン効果に注目し、このマイナスイオン効果を得ることが出来る電動工具を提供するものである。
【課題を解決するための手段】
【０００５】
請求項１に係る発明は、工具を駆動するモータがフレーム内部に収納された電動工具において、前記モータによって回転する冷却ファンを前記フレーム内部に有し、前記冷却ファンから送風された空気を送出する送風口が前記フレームに開口し、前記空気の送風路で、かつ、前記フレーム内部にイオン電極を配し、前記イオン電極からマイナスイオンを発生させるための高電圧を供給する高電圧発生装置を有したことを特徴とする電動工具である。
【０００６】
請求項２に係る発明は、前記高電圧発生装置は、複数段のラダー倍電圧整流回路であることを特徴とする請求項１記載の電動工具である。
【０００７】
請求項３に係る発明は、前記ラダー倍電圧整流回路は、コッククロフト・ウォルトンのラダー倍電圧整流回路であることを特徴とする請求項２記載の電動工具である。
【０００８】
請求項４に係る発明は、前記イオン電極は、ガラス管内に配置されていることを特徴とする請求項１記載の電動工具である。
【発明の効果】
【０００９】
請求項１に係る発明の電動工具であると、工具を駆動させるモータが回転すると冷却ファンも回転する。また、高電圧発生装置によってイオン電極からマイナスイオンが発生し、冷却ファンから送風された空気にこのマイナスイオンが混じり、フレームにある送風口から送風される。このマイナスイオンを含む空気が、電動工具を持って作業している人間に至り、心身をリフレッシュすることが出来る。
【００１０】
請求項２に係る発明の電動工具であると、複数段のラダー倍電圧整流回路によって高電圧発生装置を実現することにより、その回路構成が簡単で、かつ、容易に高電圧を発生させることが出来る。
【００１１】
請求項３に係る発明の電動工具であると、ラダー倍電圧整流回路がコッククロフト・ウォルトンのラダー倍電圧整流回路であるので、その回路構成が簡単で、且つ容易に高電圧を発生させることが出来る。
【００１２】
請求項４に係る発明の電動工具であると、イオン電極がガラス管内に配置されているため、高電圧部分が外部に露出することが無く、電動工具を持って作業する人間に安全である。
【発明を実施するための最良の形態】
【００１３】
以下、本発明の一実施形態の電動工具１０について、図１及び図２に基づいて説明する。
【００１４】
（１）電動工具１０の構成
本実施形態の電動工具１０は、図１に示すようにドリルドライバであって、ピストル型のフレーム１２内部にドリルの駆動源であるモータ３２と、ギアボックス１４とが内蔵され、ギアボックス１４の前端部には、ドリルチャック１６が設けられている。また、モータ３２の下方であって、フレーム１２内部には、配線基板１８が設けられている。この配線基板１８には、モータ３２を駆動させるための駆動回路と、後から説明するマイナスイオンを発生させるためのラダー回路２０が設けられている。
【００１５】
モータ３２のギアボックス１４に対する出力軸側とは反対側の反出力軸３６にはフレーム１２内部を冷却するための冷却ファン３８が設けられている。この冷却ファン３８からのた空気を送るための送風口３４が、モータ３２の後方側に位置するフレーム１２に複数個開口している。
【００１６】
モータ３２と冷却ファン３８との間には、イオン電極４０が設けられている。このイオン電極４０は、棒状であり、その周囲をガラス管４２で覆っている。
【００１７】
また、フレーム１２の表面には、電動工具１０の電源スイッチ２８とイオン発生用スイッチ３０とが設けられ、また、電動工具１０のドリルの回転速度を調整するためのトリガースイッチ４４が設けられている。
【００１８】
（２）ラダー回路２０の構成
図２を用いて、ラダー倍電圧整流回路２０の内部構成について説明する。
【００１９】
ラダー倍電圧整流回路２０は、コッククロフト・ウォルトン型の倍電圧整流回路である。
【００２０】
交流の商用電源（例えば、１００Ｖの商用電源）の電源ラインに接続された整流回路２２、その出力ラインのうち正側の電源ラインに介装されたダイオードＤ０、ｎ個の倍電圧回路Ｇｉ（ｉ＝１、２、・・・ｎ）、出力用抵抗器Ｒから構成されている。
【００２１】
ｎ個の倍電圧回路Ｇｉはすべて同じ回路構成を有し、二つのコンデンサＣi1、Ｃi2と二つのダイオードＤi1、Ｄi2とから構成されている。倍電圧回路ＧｉのコンデンサＣi1，Ｃi2は、ダイオードブリッジによりなる整流回路２２により直流化された２本の電源ラインに、それぞれ介装・接続されている。また、ダイオードＤi1は、一方の電源ラインのコンデンＣi2の入力側から、他方の電源ラインのコンデンサＣi1の出力側に、順方向に接続され、ダイオードＤi2は、これとは逆に、他方の電源ラインのコンデンサＣi1の出力側から、一方の電源ラインのコンデンサＣi2の出力側に、順方向に接続されている。この倍電圧回路Ｇｉをｎ段（例えば、３２段）直列に接続することで、入力電圧ＶＤを、ｎ倍することができる。出力用抵抗器Ｒには、高圧ケーブル２４を介して、イオン電極２６が接続されている。
【００２２】
（３）電動工具１０の機能
上記の電動工具１０では、電源スイッチ２８をオンにした後で、イオン発生用スイッチ３０をオンにすると、ラダー倍電圧整流回路２０に商用交流（例えば、１００Ｖ）が供給される。商用交流１００Ｖを整流回路２２で全波整流しているので、倍電圧回路Ｇｉの入力電圧の実効値は１００Ｖとなる。従って、倍電圧回路Ｇｉを３２段設けた場合には、出力電圧は、約３０００Ｖとなる。この電圧を、抵抗値約３０ＭΩの抵抗器Ｒを介してイオン電極６０に出力すると、このイオン電極４０の周りの空気はイオン化され、大量のマイナスイオンが発生する。イオン電極４０付近で発生したマイナスイオンは、モータ３２による送風と共に、送風口３４から送出される。
【００２３】
送風口３４から送風されたマイナスイオンを含む空気は電動工具１０を持って作業する人間に至り、その作業者の心身をリフレッシュすることが出来る。
【００２４】
また、イオン電極４０はガラス管４２に挿入されているため、高電圧を発生する部分が露出しておらず、作業者にとって安全である。
【００２５】
また、電動工具１０によれば、ラダータイプの倍電圧回路を用いているので、高電圧の発生回路を極めてコンパクトに構成することができる。また、発振回路なども必要ないので、高周波ノイズなどの対策も必要がない。更に、簡単な回路の繰り返しなので、部品の配置が簡略にできる上、段数を調整するだけで、所望の電圧を得ることができる。
【００２６】
（４）変更例
上記実施形態の電動工具１０では、イオン電極４０に高電圧を供給する高電圧発生装置としてラダー回路２０を用いたが、これに代えて、トランス等を用いて発生させても良い。
【００２７】
また、ラダー回路２０としては、コッククロフトウォルトン型で無く他のタイプのラダー回路２０であってもよい。
【００２８】
さらに、上記実施形態では電動工具１０はドリルドライバで説明したが、これ以外のグラインダー等の他の電動工具であってもこのマイナスイオンを発生させる装置を設けることが出来る。
【００２９】
さらに、上記実施形態では１００Ｖの商用電源で説明したが、他の電圧値の商用電源を用いてもよい。また、電源電圧が異なる場合には、ラダー倍電圧回路の段数を増減すればよい。
【産業上の利用可能性】
【００３０】
本発明の電動工具はドリルドライバ、グラインダー等、冷却ファンを有する電動工具に好適である。
【図面の簡単な説明】
【００３１】
【図１】本実施形態の電動工具の側面図である。
【図２】ラダー回路の電気回路図である。
【符号の説明】
【００３２】
１０  電動工具
１２  フレーム
２０  ラダー回路
３２  モータ
３４  送風口
３８  冷却ファン
４０  イオン電極
４２  ガラス管
【図１】
2005169510.tif 000003
【図２】
2005169510.tif 000004